(57)【要約】【課題】  表表紙板や裏表紙板を構成する板材を軽くて強い構造にし、耐久性を向上すると共に軽量で取扱いやすいファイルを提供する。【解決手段】  本ファイルＡは、背表紙板１０の左右端にそれぞれ折り曲げ自在に形成する表表紙板１１と裏表紙板１２とを構成する板材１と、背表紙板１０の内面に取付けられて書類等を綴じる綴じ具２ａとを備え、上記板材１は、発泡プラスチックシートＳ１の表裏両面それぞれに、該発泡プラスチックシートＳ１よりも薄く形成された硬性プラスチックシートＳ２を積層した多層複合シートで構成される。従って、ファイルＡにおいて、耐久性に優れ、且つ軽量で取扱いやすいものが得られる。【選択図】  図１
0003105082.tif 000002
【実用新案登録請求の範囲】
【請求項１】
背表紙板の左右端にそれぞれ折り曲げ自在に形成した表表紙板および裏表紙板を構成する板材と、この板材の内面に取付けられて用紙等を綴じる綴じ具とを備えたファイルにおいて、
上記板材は、発泡プラスチックシートの表裏両面それぞれに、該発泡プラスチックシートよりも薄く形成された硬性プラスチックシートを一層以上積層した多層複合シートで構成されていることを特徴とするファイル。
【請求項２】
背表紙板の左右端にそれぞれ折り曲げ自在に形成した表表紙板および裏表紙板を構成する板材と、背表紙板の内面に溶着されて書類等の用紙を収容させるプラスチック製の中袋とを備えたファイルにおいて、
上記板材は、発泡プラスチックシートの表裏両面それぞれに、該発泡プラスチックシートよりも薄く形成された硬性プラスチックシートを一層以上積層した多層複合シートで構成されていることを特徴とするファイル。
【請求項３】
板材からなり内側端に折り返し片を設けた表表紙板と、板材からなり内側端に折り返し片を設けた裏表紙板と、表表紙板と裏表紙板との折り返し片の間に配置されたシート状の背表紙と、表表紙板と裏表紙板の折り返し片の間に背表紙と共に綴じられたアルバム台紙等の台紙とを備えたファイルにおいて、
上記表表紙板と上記裏表紙板とを構成する板材は、発泡プラスチックシートの表裏両面それぞれに、該発泡プラスチックシートよりも薄く形成された硬性プラスチックシートを一層以上積層した多層複合シートで構成されていることを特徴とするファイル。
【請求項４】
請求項１ないし３のいずれかに記載のファイルにおいて、
上記板材を構成する多層複合シートは、発泡プラスチックシートと硬性プラスチックシートとの間に結合層を介在させるようにしたことを特徴とするファイル。
【請求項５】
請求項１ないし４のいずれかに記載のファイルにおいて、
上記板材は、表面側と裏面側の一番外側の硬性プラスチックシートを色違いに形成した多層複合シートで構成されていることを特徴とするファイル。
【考案の詳細な説明】
【技術分野】
【０００１】
本考案は、ファイルに関し、詳しくはファイルの表表紙板や裏表紙板を構成する板材が軽く且つ強化されたものに関する。
【背景技術】
【０００２】
一般に、ファイルは、板材からなる表表紙板と裏表紙板を有し、この表表紙板と裏表紙板との間に書類等の用紙、中袋、台紙等を収容させているものである。
このようなファイルとして、例えば、上記の表表紙板と裏表紙板とを、綴じ具を取付けた背表紙板の左右端にそれぞれ折り曲げ自在に一体に形成し、上記綴じ具に書類等を綴じる形式のものや、背表紙には、綴じ具を取付けることなく複数枚の中袋を溶着し、この中袋に書類等の用紙を挿入させる形式のもの等がある。
また、アルバムの如く、表表紙板と裏表紙板とを別々に構成し、それらの内側端に折り返し片を設け、表表紙板と裏表紙板との折り返し片の間に背表紙と共にアルバム用台紙を綴じる形式のファイル等もある。
【考案の開示】
【考案が解決しようとする課題】
【０００３】
ところで、このようなファイルの表表紙板や裏表紙板は、厚紙または単層の硬性プラスチックシートからなる板材で構成されているため、比較的もろく衝撃を受けると折れ曲がりやすいものである。そのため、ファイルを書棚等に入れるときや誤って落下させたとき等に、とりわけ衝撃を受けやすい表表紙板や裏表紙板のコーナ部が折れ曲り、以後の使用に耐え得なくなってしまう不都合があった。
一方、ファイルの表表紙板や裏表紙板の強度を確保するため、その厚みを分厚く形成することも考えられるが、そうすると、ファイル自体が重くなり、更に書類等を収容させると重量が増すので取扱い難くなる不都合がある。
本考案は、上記事情に鑑みてなされたものであり、表表紙板や裏表紙板を構成する板材を軽くて強い構造にし、耐久性を向上すると共に軽量で取扱いやすいファイルを提供するものである。
【課題を解決するための手段】
【０００４】
（１）本考案（請求項１）に係るファイルは、背表紙板の左右端にそれぞれ折り曲げ自在に形成した表表紙板および裏表紙板を構成する板材と、この板材の内面に取付けられて用紙等を綴じる綴じ具とを備えたファイルにおいて、
上記板材は、発泡プラスチックシートの表裏両面それぞれに、該発泡プラスチックシートよりも薄く形成された硬性プラスチックシートを一層以上積層した多層複合シートで構成されていることを特徴とするものである。
これにより、背表紙板、表表紙板および裏表紙板を構成する上記板材を上記多層複合シートで構成するので、従来の厚紙や単層の硬性プラスチックシートで構成するものに比して、背表紙板、表表紙板および裏表紙板の強度を高くすることができる。しかも、上記多層複合シートは、発泡プラスチックシートの表裏両面それぞれに積層させた硬性プラスチックシートを該発泡プラスチックシートよりも薄く形成するので、背表紙板、表表紙板および裏表紙板の厚みを分厚くすることなく、その強度を高くすることができる。従って、本ファイルを書棚等に入れるときや誤って落下させたとき等にあっても、衝撃を受けやすい表表紙板や裏表紙板のコーナ部が折れ曲り難く、ファイルの耐久性を格段に向上することができる。
また、上記板材を構成する多層複合シートには、発泡プラスチックシートを含むので、従来の厚紙または単層の硬性プラスチックシートからなる板材で表表紙板や裏表紙板等を構成するものに比して軽くすることができる。
よって、耐久性に優れ、且つ軽量で取扱いやすいファイルを得ることができる。
【０００５】
（２）本考案（請求項２）に係るファイルは、背表紙板の左右端にそれぞれ折り曲げ自在に形成した表表紙板および裏表紙板を構成する板材と、背表紙板の内面に溶着されて書類等の用紙を収容させるプラスチック製の中袋とを備えたファイルにおいて、
上記板材は、発泡プラスチックシートの表裏両面それぞれに、該発泡プラスチックシートよりも薄く形成された硬性プラスチックシートを一層以上積層した多層複合シートで構成されていることを特徴とするものである。
これにより、背表紙板、表表紙板および裏表紙板を構成する上記板材を上記多層複合シートで構成するので、従来の厚紙や単層の硬性プラスチックシートで構成するものに比して、背表紙板、表表紙板および裏表紙板の強度を高くすることができる。しかも、上記多層複合シートは、発泡プラスチックシートの表裏両面それぞれに積層させた硬性プラスチックシートを該発泡プラスチックシートよりも薄く形成するので、背表紙板、表表紙板および裏表紙板の厚みを分厚くすることなく、その強度を高くすることができる。従って、本ファイルを書棚等に入れるときや誤って落下させたとき等にあっても、衝撃を受けやすい表表紙板や裏表紙板のコーナ部が折れ曲り難く、ファイルの耐久性を格段に向上することができる。
【０００６】
また、上記板材を構成する多層複合シートには、発泡プラスチックシートを含むので、従来の厚紙または単層の硬性プラスチックシートからなる板材で表表紙板や裏表紙板等を構成するものに比して軽くすることができる。
よって、耐久性に優れ、且つ軽量で取扱いやすいファイルを得ることができる。
しかも、上記プラスチック製の中袋は、発泡プラスチックシートに対しては安定して溶着できないが、上記板材を上記多層複合シートで構成するので、該中袋は、上記多層複合シートにおける最外層の硬性プラスチックシートに対して安定して溶着させることができる。従って、本ファイルの使用時にあっても、プラスチック製の中袋が背表紙板から剥がれ難くなり、ファイルの耐久性を格段に向上することができる。
【０００７】
（３）本考案（請求項３）によるファイルは、板材からなり内側端に折り返し片を設けた表表紙板と、板材からなり内側端に折り返し片を設けた裏表紙板と、表表紙板と裏表紙板との折り返し片の間に配置されたシート状の背表紙と、表表紙板と裏表紙板の折り返し片の間に背表紙と共に綴じられたアルバム台紙等の台紙とを備えたファイルにおいて、
上記表表紙板と上記裏表紙板とを構成する板材は、発泡プラスチックシートの表裏両面それぞれに、該発泡プラスチックシートよりも薄く形成された硬性プラスチックシートを一層以上積層した多層複合シートで構成されていることを特徴とするものである。
これにより、背表紙板、表表紙板および裏表紙板を構成する上記板材を上記多層複合シートで構成するので、従来の厚紙や単層の硬性プラスチックシートで構成するものに比して、背表紙板、表表紙板および裏表紙板の強度を高くすることができる。しかも、上記多層複合シートは、発泡プラスチックシートの表裏両面それぞれに積層させた硬性プラスチックシートを該発泡プラスチックシートよりも薄く形成するので、背表紙板、表表紙板および裏表紙板の厚みを分厚くすることなく、その強度を高くすることができる。従って、本ファイルを書棚等に入れるときや誤って落下させたとき等にあっても、衝撃を受けやすい表表紙板や裏表紙板のコーナ部が折れ曲り難く、ファイルの耐久性を格段に向上することができる。
また、上記板材を構成する多層複合シートには、発泡プラスチックシートを含むので、従来の厚紙または単層の硬性プラスチックシートからなる板材で表表紙板や裏表紙板等を構成するものに比して軽くすることができる。
よって、耐久性に優れ、且つ軽量で取扱いやすいファイルを得ることができる。
【０００８】
（４）本考案（請求項４）によるファイルは、上記ファイル（請求項１ないし３のいずれか）において、
上記板材を構成する多層複合シートは、発泡プラスチックシートと硬性プラスチックシートとの間に結合層を介在させるようにしたことを特徴とするものである。
これにより、発泡プラスチックシートと硬性プラスチックシートとの結合を強化することができる。従って、本ファイルを書棚等に頻繁に出し入れ等しても、擦れやすい表表紙板や裏表紙板における表面や裏面の硬性プラスチックシートが剥がれてくるようなことも確実に防止し、さらに耐久性を向上することができる。
【０００９】
（５）本考案（請求項５）によるファイルは、上記ファイル（請求項１ないし４のいずれか）において、
上記板材は、表面側と裏面側の一番外側の硬性プラスチックシートを色違いに形成した多層複合シートで構成されていることを特徴とするものである。
従来の単層プラスチックシートでは、ファイルの外面と内面とは同一色で形成され、単調なデザインであったが、表表紙板や裏表紙板等を構成する板材を上記多層複合シートで構成し、該多層複合シートの表面側と裏面側の一番外側の硬性プラスチックシートを色違いにすることで、ファイルの外面色と内面色とを異ならしめたリバーシブル色にしたり、ファイルの外面と内面とに色の異なる模様等を施すことができる。従って、デザイン的にも斬新で、見栄えのよいファイルを得ることができる。
【考案の効果】
【００１０】
以上のように、本考案によれば、表表紙板や裏表紙板等を構成する板材として、発泡プラスチックシートの表裏両面それぞれに、該発泡プラスチックシートよりも薄く形成された硬性プラスチックシートを一層以上積層した多層複合シートで構成するようにしたので、衝撃を受けやすい表表紙板や裏表紙板のコーナ部が折れ曲り難くなり、且つ従来の厚紙または単層の硬性プラスチックシートからなる板材で表表紙板や裏表紙板等を構成するものに比して軽くすることができる。
従って、ファイルにおいて、耐久性に優れ、且つ軽量で取扱いやすいものが得られるという効果がある。
【考案を実施するための最良の形態】
【００１１】
以下に、本考案の実施の形態について添付図面を参照しながら説明する。
図１に示したファイルＡは、背表紙板１０の左右端にそれぞれ折り曲げ自在に形成する表表紙板１１と裏表紙板１２とを構成する板材１と、背表紙板１０の内面にビス等で取付けられて用紙等を綴じる綴じ具２ａとを備える形式のファイルである。上記綴じ具２ａは、２穴対応の書類等の用紙、中袋、台紙等を綴じることができるように、２本のパイプにピンを通すようにしたいわゆるパイプ式の綴じ具である。
【００１２】
図２に示したファイルＢは、背表紙板１０の左右端にそれぞれ折り曲げ自在に形成する表表紙板１１と裏表紙板１２とを構成する板材１と、背表紙板１０の内面にビス等で取付けられて用紙等を綴じる綴じ具２ｂとを備える形式のファイルであって、上記綴じ具２ｂとして、３０穴対応の書類等の用紙、中袋、台紙等を綴じることができるように、レバー操作等により左右に開閉するリングを３０個設けたいわゆるバインダー式の綴じ具を採用したものである。なお、このバインダー式の綴じ具２ｂにあっては、２６穴対応などその他種々の穴数対応のものであってもよい。
【００１３】
図３に示したファイルＣは、背表紙板１０の左右端にそれぞれ折り曲げ自在に形成する表表紙板１１と裏表紙板１２とを構成する板材１を備えるが、図１、図２のものの如き綴じ具２ａ，２ｂを設けずに、背表紙材１０の内面に書類等の用紙を収容させるプラスチック製の中袋３が複数枚溶着されたファイルである。
図４、図５に示したファイルＤは、板材１ａからなり内側端に折り返し片１１０を設けた表表紙板１１ａと、板材１ａからなり内側端に折り返し片１２０を設けた裏表紙板１２ａと、表表紙板１１ａと裏表紙板１２ａとの折り返し片１１０，１２０の間に配置されたシート状の背表紙１００と、表表紙板１１ａと裏表紙板１２ａとの折り返し片１１０，１２０の間にピン等により背表紙１００と共に綴じられたアルバム台紙等の台紙４とを備えたアルバム形式のファイルである。上記背表紙１００は、その左右の外側端近傍には、表表紙板１１ａと裏表紙板１２ａとの折り返し片１１０，１２０に設けたピン通し孔１１１，１２１と対応させた孔部１０１，１０２を設けるが、その一方の孔部１０２が長孔に形成されており、この長孔に形成された孔部１０２によって、綴じ込む台紙４の枚数に応じて背表紙１００の幅調整ができるように構成されている。
【００１４】
そして、上記いずれもファイルＡ〜Ｄにおいても、背表紙板１０、表表紙板１１および裏表紙板１２を構成する上記板材１（図４、図５に示すファイルＤは表表紙板１１ａおよび裏表紙板１２ａを構成する板材１ａである。）は、発泡プラスチックシートＳ１の表裏両面それぞれに、該発泡プラスチックシートＳ１よりも薄く形成された硬性プラスチックシートＳ２を積層した多層複合シートで構成されている。また、上記板材１，１ａは、表面側と裏面側に配置される硬性プラスチックシートＳ２，Ｓ２を色違いに形成した多層複合シートで構成されている。なお、板材１，１ａとして、硬性プラスチックシートＳ２を複数積層した場合は、表面側と裏面側の一番外側に配置された硬性プラスチックシートＳ２，Ｓ２が色違いに形成される。
【００１５】
この多層複合シートについて、以下に説明する。
この多層複合シートは、例えば、図６に示すように、発泡プラスチックシートＳ１の両面に硬性プラスチックシートＳ２を一層積層した３層構造の複合シート（図６（ａ））や、発泡プラスチックシートＳ１の両面に硬性プラスチックシートＳ２を二層積層した５層構造の複合シート（図６（ｂ））等として形成することができる。
上記発泡プラスチックシートＳ１は、例えば、ポリプロピレン、高密度ポリエチレン、低密度ポリエチレン、ポリスチレン、ＥＶＡ、ＡＢＳ等の種々の素材が使用される。そして、この発泡プラスチックシートＳ１は、再生材料を使用することもできる。なお、この発泡プラスチックシートＳ１の製造に際して、二酸化炭素にブタンを混合したガスをその溶融樹脂材料中に混入させて発泡させることができる。その発泡度は、低発泡、高発泡等のように種々設定することができる。
【００１６】
上記硬性プラスチックシートＳ２は、例えば、ポリプロピレン、高密度ポリエチレン、低密度ポリエチレン、ポリスチレン、ＥＶＡ等の素材が使用される。
そして、上記の３層構造の複合シート（図６（ａ））や５層構造の複合シート（図６（ｂ））は、発泡プラスチックシートＳ１と硬性プラスチックシートＳ２との素材は、同種のものでも異種のものでもよく、例えば、同種素材であっても異種素材であっても押出成形によって同時に成形して製造することができる。従って、生産効率がよく生産コストを低減することができる。また、上記発泡プラスチックシートＳ１は、再生材料で製造することで、環境対応の条件にも適うことができる。
【００１７】
このような、多層複合シートによれば、同じ厚みを有する単一の硬性プラスチックシートに比して、その重量を２０％〜５０％軽減することができ、軽量化に大きく寄与することができる。しかも、多層複合シートは、表裏両表面に硬性プラスチックシートＳ２を貼り合せることで、この多層複合シートの剛性を大幅に高めることができ、強度の向上にも大きく寄与することができる。
また、上記多層複合シートは、発泡プラスチックシートＳ１と硬性プラスチックシートＳ２との間に結合層を介在させるようにすれば、発泡プラスチックシートＳ１と硬性プラスチックシートＳ２，Ｓ２との結合を強化することができる。
また、上記多層複合シートは、表裏両表面に硬性プラスチックシートＳ２を貼り合せるので、この硬性プラスチックシートＳ２を種々着色することで、多層複合シートの表面側と裏面側の一番外側の硬性プラスチックシートＳ２，Ｓ２を色違いに形成することもできる。もちろん、表裏両表面に硬性プラスチックシートＳ２が同一色であってもよい。
【００１８】
以上のように、本実施の形態によるファイルＡ〜Ｄによれば、背表紙板１０、表表紙板１１および裏表紙板１２を構成する上記板材１（図４、図５に示すファイルＤは表表紙板１１ａおよび裏表紙板１２ａを構成する板材１ａである。）を上記多層複合シートで構成するので、従来の厚紙や単層の硬性プラスチックシートで構成するものに比して、背表紙板１０、表表紙板１１，１１ａおよび裏表紙板１２，１２ａの強度を高くすることができる。しかも、上記多層複合シートは、発泡プラスチックシートＳ１の表裏両面それぞれに積層させた硬性プラスチックシートＳ２を該発泡プラスチックシートＳ１よりも薄く形成するので、背表紙板１０、表表紙板１１，１１ａおよび裏表紙板１２，１２ａの厚みを分厚くすることなく、その強度を高くすることができる。従って、本ファイルＡ〜Ｄを書棚等に入れるときや誤って落下させたとき等にあっても、衝撃を受けやすい表表紙板１１，１１ａや裏表紙板１２，１２ａのコーナ部が折れ曲り難く、ファイルＡ〜Ｄの耐久性を格段に向上することができる。
また、上記板材１を構成する多層複合シートには、発泡プラスチックシートＳ１を含むので、従来の厚紙または単層の硬性プラスチックシートＳ１からなる板材１で背表紙板、表表紙板や裏表紙板等を構成するものに比して軽くすることができる。
よって、耐久性に優れ、且つ軽量で取扱いやすいファイルを得ることができる。
【００１９】
このように、本実施の形態のファイルＡ〜Ｄによれば、表表紙板１１，１１ａや裏表紙板１２，１２ａ等を構成する板材１，１ａとして、発泡プラスチックシートＳ１の表裏両面それぞれに、該発泡プラスチックシートＳ１よりも薄く形成された硬性プラスチックシートＳ１を積層した多層複合シートで構成するようにしたので、特に衝撃を受けやすい表表紙板１１，１１ａや裏表紙板１２，１２ａのコーナ部が折れ曲り難くなり、且つ従来の厚紙または単層の硬性プラスチックシートからなる板材で表表紙板や裏表紙板等を構成するものに比して軽くすることができる。従って、ファイルＡ〜Ｄにおいて、耐久性に優れ、且つ軽量で取扱いやすいものが得られるという効果がある。
【００２０】
また、従来の単層プラスチックシートでは、ファイルの外面と内面とは同一色で形成され、単調なデザインであったが、表表紙板１１，１１ａや裏表紙板１２，１２ａ等を構成する板材１，１ａを上記多層複合シートで構成し、該多層複合シートの表面側と裏面側の一番外側の硬性プラスチックシートＳ２，Ｓ２を色違いに形成することで、ファイルＡ〜Ｄの外面色と内面色とを異ならしめたリバーシブル色にしたり、ファイルＡ〜Ｄの外面と内面とに様々な模様等を施すことができる。従って、デザイン的にも斬新で、見栄えのよいファイルを得ることができる。
【００２１】
一方、上記板材１を構成する多層複合シートは、発泡プラスチックシートＳ１と硬性プラスチックシートＳ２との間に結合層を介在させるようにすれば、発泡プラスチックシートＳ１と硬性プラスチックシートＳ２，Ｓ２との結合を強化することができる。従って、本ファイルＡ〜Ｄを書棚等に頻繁に出し入れ等しても、擦れやすい表表紙板１１，１１ａや裏表紙板１２，１２ａにおける表面や裏面の硬性プラスチックシートＳ２，Ｓ２が剥がれてくるようなことも確実に防止し、さらに耐久性を向上することができる。
【００２２】
また、図３に示したファイルＣにおいて、上記プラスチック製の中袋３は、発泡プラスチックシートＳ１に対しては安定して溶着できないが、上記板材１を上記多層複合シートで構成するので、該中袋３は、上記多層複合シートにおける最外層の硬性プラスチックシートＳ２に対して安定して溶着させることができる。従って、本ファイルＣの使用時にあっても、プラスチック製の中袋３が背表紙板１０から剥がれ難くなり、ファイルＣの耐久性を格段に向上することができる。
なお、本考案は、上記実施の形態のものに限定されず、考案の範囲内で種々の設計変更を施すことが可能である。
【００２３】
例えば、図１、図２に示したファイルＡ，Ｂでは、綴じ具２ａ，２ｂを背表紙板１０に取付けるが、これに限らず、Ｚ型綴じ具、リング型綴じ具等の種々の綴じ具を裏表紙板１２の内側面における折り曲がり部付近に取付けるようにしたものでもよいし、また、用箋はさみ式の綴じ具を裏表紙板１２の上端または外側端等に取付けるようにするなど、綴じ具の種類やその取付け位置を任意に設定することができる。
また、図１、図２等の示した綴じ具付きのファイルＡ，Ｂにおいて、綴じ具２ａ，２ｂは、背表紙板１０から簡易に取外し可能に取付けられて、綴じ具２ａ，２ｂと板材１とを容易に分別廃棄できるようにしてもよい。
【図面の簡単な説明】
【００２４】
【図１】実施の形態によるファイルであって、パイプ式綴じ具を有するファイルの開いた状態を示す斜視図である。
【図２】実施の形態によるファイルであって、バインダー式綴じ具を有するファイルの開いた状態を示す斜視図である。
【図３】実施の形態によるファイルであって、複数枚の中袋を溶着したファイルの開いた状態を示す斜視図である。
【図４】実施の形態によるファイルであって、表表紙板と裏表紙板とが分離して構成されてアルバム台紙等の台紙を挟持させるアルバム形式のファイルの開いた状態を示す斜視図である。
【図５】図４のアルバム形式のファイルであって、分解した状態を示す斜視図である。
【図６】板材を構成する多層複合シートの構造を示す断面図であり、同図（ａ）は３層複合シートを示す断面図であり、同図（ｂ）は５層複合シートを示す断面図である。
【符号の説明】
【００２５】
１，１ａ  板材
２ａ，２ｂ  綴じ具
３  中袋
４  台紙
１０  背表紙板
１１，１１ａ  表表紙板
１２，１２ａ  裏表紙板
Ａ，Ｂ，Ｃ，Ｄ  ファイル
Ｓ１  発泡プラスチックシート
Ｓ２  硬性プラスチックシート
【図１】
0003105082.tif 000003
【図２】
0003105082.tif 000004
【図３】
0003105082.tif 000005
【図４】
0003105082.tif 000006
【図５】
0003105082.tif 000007
【図６】
0003105082.tif 000008